(57)【特許請求の範囲】
【請求項１】
下部および前部に吸込み口部を、前部または前部下方への吹出し口部をそれぞれ有する筐体と、この筐体の内部に設け、略水平方向に回転軸をもつクロスフローファンと、このクロスフローファンの風上側に配置した熱交換器と、前記クロスフローファンに峰部を近接して対向するように配設したスタビライザと、前記クロスフローファンの後側に設け、前記スタビライザとで前記吹出し口部へ通じる送風路を形成するリアガイダを備え、前記熱交換器は前記クロスフローファンの前側に位置し、下部と上部から成る第１熱交換器と、前記クロスフローファンの後側に位置し、下部と上部から成る第２熱交換器を有し、前記各々の熱交換器の下側に水受け皿を設けたことを特徴とする空気調和機の室内ユニット。
【請求項２】
下部および前部に吸込み口部を、前部または前部下方への吹出し口部をそれぞれ有する筐体と、この筐体の内部に設け、略水平方向に回転軸をもつクロスフローファンと、このクロスフローファンの風上側に配置した熱交換器と、前記クロスフローファンに峰部を近接して対向するように配設したスタビライザと、前記クロスフローファンの後側に設け、前記スタビライザとで前記吹出し口部へ通じる送風路を形成するリアガイダを備え、前記熱交換器は前記クロスフローファンの前側に位置し、下部と上部から成る略逆く字状の第１熱交換器と、前記クロスフローファンの後側に位置し、下部と上部から成る略く字状の第２熱交換器を有し、前記各々の熱交換器の下側に水受け皿を設けたことを特徴とする空気調和機の室内ユニット。
【請求項３】
第２熱交換器を略く字状に形成し、かつその下部を略垂直に配置してなる請求項１または請求項２に記載の空気調和機の室内ユニット。
【請求項４】
第２熱交換器を略く字状に形成し、かつその下部を筐体内の後方側へ、上部を筐体内の前方側へそれぞれ傾斜させた請求項１または請求項２に記載の空気調和機の室内ユニット。
【請求項５】
筐体は、被空気調和空間の壁に対向して取付ける二つの取付面を有する平面形状が略扇形状または略三角形状にしたことを特徴とする請求項１〜請求項４のいずれかに記載の空気調和機の室内ユニット。
【請求項６】
筐体は、被空気調和空間の壁に対向して取付ける二つの取付面を有する平面形状が略扇形状とし、スタビライザとリアガイダで形成した送風路を略水平方向に配置したことを特徴とする請求項５に記載の空気調和機の室内ユニット。
【請求項７】
第２熱交換器の上部で上流側に位置する筐体上部に上部吸込み口部を設けたことを特徴とする請求項１〜請求項６のいずれかに記載の空気調和機の室内ユニット。
【請求項８】
クロスフローファンより筐体内の前側に位置する第１熱交換器は、クロスフローファンより筐体内の後側に位置する第２熱交換器よりもクロスフローファンの回転軸方向における長さを長くしたことを特徴とするとする請求項５に記載の空気調和機の室内ユニット。
【発明の詳細な説明】
【０００１】
【発明の属する技術分野】
本発明は、横断流送風機型の送風回路を備えた背丈の低い空気調和機の室内ユニットに関する。
【０００２】
【従来の技術】
近年、室内などに用いられる空気調和機は、機器の小型化とともに性能向上を図ったものがより多く用いられてきている。
【０００３】
従来のこの種の横断流送風機型の送風回路が用いられている空気調和機は、例えば特開平１１−２６４５６８号公報に記載されているように、図１６に示すような構成になっている。
【０００４】
すなわち、同図において、１は空気調和機の室内ユニットの筐体で、内部上方に位置するクロスフローファン（横断流送風機）２と、このクロスフローファン２の風上側でクロスフローファン２の下方に位置する内部下方に配置したＶ字状部および垂直部からなる熱交換器３を有し、この熱交換器３の下方に水受け皿４、およびスタビライザ５を具備している。そして、クロスフローファン２が回転すると矢印方向の送風作用を生じ、これによって室内空気は筐体１の下面部の吸い込み口部６から吸い込まれ、熱交換器３によって熱交換された後、スタビライザ５とリアガイダ７とが形成した送風回路８を通じて筐体１の前面下方に向いた吹出し口部９より吹き出される。熱交換器３はＶ字状部を成す第１熱交換器３ａおよび第２熱交換器３ｂと第２熱交換器３ｂの上方に垂直に配置した垂直部を成す第３熱交換器３ｃから成る。スタビライザ５は峰部５ａをクロスフローファン２に近接対向させている。
【０００５】
【発明が解決しようとする課題】
しかしながら、上記従来の構成ではクロスフローファン２、熱交換器３および吹出し口部９の構成と配置が適切でないため、室内ユニットである筐体１の大きさの割には期待された風量性能が得られないという課題があった。すなわち、クロスフローファン２と熱交換器３は筐体１の高さ方向に配置され、かつ熱交換器３のＶ字状部を成す第１熱交換器３ａおよび第２熱交換器３ｂがクロスフローファン２を間にして、その下方における前後に跨る形で配置され、更に第３熱交換器３ｃはクロスフローファン２の後方において垂直に配置され、吹出し口部９が筐体１の前面下方に向いている。従って、筐体１は高さ、奥行きともある程度の大きさがあってコンパクトにならず、かつ熱交換器３のＶ字状部を成す第１熱交換器３ａおよび第２熱交換器３ｂ、第３熱交換器３ｃがクロスフローファン２を間にして、その下方における前後に跨る形で配置された大きさの割に期待するほどの熱交換風量が得られていなかった。
【０００６】
本発明は、このような従来の課題を解決するものであり、コンパクトな筐体において風量性能の向上および低騒音化を図った空気調和機の室内ユニットを提供することを主な目的としている。
【０００７】
【課題を解決するための手段】
上記目的を達成するために本発明は、下部および前部に吸込み口部を、前部または前部下方への吹出し口部をそれぞれ有する筐体と、この筐体の内部に設け、略水平方向に回転軸をもつクロスフローファンと、このクロスフローファンの風上側に配置した熱交換器と、前記クロスフローファンに峰部を近接して対向するように配設したスタビライザと、前記クロスフローファンの後側に設け、前記スタビライザとで前記吹出し口部へ通じる送風路を形成するリアガイダを備え、前記熱交換器は前記クロスフローファンの前側に位置し、下部と上部から成る第１熱交換器と、前記クロスフローファンの後側に位置し、下部と上部から成る第２熱交換器を有し、前記各々の熱交換器の下側に水受け皿を設けたものである。
【０００８】
上記手段によれば、高さを低くした筐体の空間に熱交換器を有機的に配置することができ、室内ユニットのコンパクト化と風量性能の向上を図ることができる。
【０００９】
【発明の実施の形態】
本発明の請求項１に記載の発明は、下部および前部に吸込み口部を、前部または前部下方への吹出し口部をそれぞれ有する筐体と、この筐体の内部に設け、略水平方向に回転軸をもつクロスフローファンと、このクロスフローファンの風上側に配置した熱交換器と、前記クロスフローファンに峰部を近接して対向するように配設したスタビライザと、前記クロスフローファンの後側に設け、前記スタビライザとで前記吹出し口部へ通じる送風路を形成するリアガイダを備え、前記熱交換器は前記クロスフローファンの前側に位置し、下部と上部から成る第１熱交換器と、前記クロスフローファンの後側に位置し、下部と上部から成る第２熱交換器を有し、前記各々の熱交換器の下側に水受け皿を設けたものである。
【００１０】
上記実施形態において、下部と上部から成る第１熱交換器と第２熱交換器はクロスフローファンの前後に分けて配置しているので、高さを低く、奥行きを小さくした筐体の空間にクロスフローファンと熱交換器を有機的に配置することが可能になる。特に吹出し口部を筐体の下面前部に配置した際には、筐体内におけるクロスフローファンの前側にできる広い空間を利用して第１熱交換器の有効面積を大きくすることが可能になる。
【００１１】
また請求項２に記載の発明は、下部および前部に吸込み口部を、前部または前部下方への吹出し口部をそれぞれ有する筐体と、この筐体の内部に設け、略水平方向に回転軸をもつクロスフローファンと、このクロスフローファンの風上側に配置した熱交換器と、前記クロスフローファンに峰部を近接して対向するように配設したスタビライザと、前記クロスフローファンの後側に設け、前記スタビライザとで前記吹出し口部へ通じる送風路を形成するリアガイダを備え、前記熱交換器は前記クロスフローファンの前側に位置し、略逆く字状の第１熱交換器と、前記クロスフローファンの後側に位置し、略く字状の第２熱交換器を有し、前記各々の熱交換器の下側に水受け皿を設けたものである。
【００１２】
上記実施形態において、略逆く字状の第１熱交換器と略く字状の第２熱交換器はクロスフローファンの前後に分けて配置しているので、高さおよび奥行きを小さくした筐体の空間にクロスフローファンと熱交換器を有機的に配置することが可能になる。特に吹出し口部を筐体の下面前部に配置した際には、筐体内におけるクロスフローファンの広い前側空間を利用して第１熱交換器の有効面積を大きくすることが可能になる。
【００１３】
また請求項３に記載の発明は、請求項１または請求項２の記載において、第２熱交換器を略く字状に形成し、かつその下部を略垂直に配置してなるものである。
【００１４】
上記実施形態において、第２熱交換器の下部は略垂直に配置することでリアガイダとの距離を確保することが可能になり、クロスフローファンの回転により吸込まれた空気が熱交換して第２熱交換器の下部とリアガイダの間を通過し易くする作用をする。
【００１５】
また請求項４に記載の発明は、請求項１または請求項２の記載において、第２熱交換器を略く字状に形成し、かつその下部を筐体内の後方側へ、上部を筐体内の前方側へそれぞれ傾斜させたものである。
【００１６】
上記実施形態において、略く字状に形成した第２熱交換器は筐体内におけるクロスフローファンの後側にあって、それぞれ傾斜した熱交換器の下部と上部とでクロスフローファンの上下方向へ跨るような格好に配置することが可能になる。
【００１７】
また請求項５に記載の発明は、請求項１〜請求項４のいずれかの記載において、筐体を、被空気調和空間の壁に対向して取付ける二つの取付面を有する平面形状が略扇形状または略三角形状にしたものである。
【００１８】
上記実施形態において、室内ユニットである筐体を室内の隅において壁に沿わせて設置することが可能になり、送風を室内壁の隅（コーナー）部から、室内の中央部に向かって吹き出すことが可能になる。
【００１９】
また請求項６に記載の発明は、請求項５の記載において、筐体は被空気調和空間の壁に対向して取付ける二つの取付面を有する平面形状が略扇形状にし、スタビライザとリアガイダで形成した送風路を略水平方向に配置したものである。
【００２０】
上記実施形態において、平面形状を略扇形状の筐体に形成した場合に、略水平方向に配置した送風路に通じる吹出し口部は筐体の前面下縁に沿った円弧状に形成することが可能になる。従って、前記送風路を従来例のように斜め下向にした際に、平面形状が略扇形状の筐体における円弧状の前面の左右端部側になるほど送風路底が上向きになり、吹出し口部が筐体の前面下縁に沿わなくなるのを解消する作用を有する。
【００２１】
また請求項７に記載の発明は、請求項１〜請求項６のいずれかの記載において、第２熱交換器の上部で上流側に位置する筐体上部に上部吸込み口部を設けたものである。
【００２２】
上記実施形態において、クロスフローファンの回転により、第１および第２熱交換器に導く空気を筐体の下部および前部に設けた吸込み口部の他に、筐体上部に第２熱交換器の上流側において設けた吸込み口部からも、空気を第２熱交換器の上部に導くことができ、全体としての吸込み風路が大きくなり風量を増大することが可能になる。
【００２３】
また請求項８に記載の発明は、請求項５の記載において、クロスフローファンより筐体内の前側に位置する第１熱交換器は、クロスフローファンより筐体内の後側に位置する第２熱交換器よりもクロスフローファンの回転軸方向における長さを長くしたものである。
【００２４】
上記実施形態において、平面形状が略扇形状または略三角形状の筐体では、筐体の前側になるほど左右に広がるので、この広がる分を利用してクロスフローファンの前側に位置する第１熱交換器を、前記クロスフローファンの後側に位置する第２熱交換器よりクロスフローファンの回転軸方向における長さを長くして設置することが可能になる。従って、筐体内のクロスフローファンの前後に第１熱交換器と第２熱交換器を配置して筐体の高さを従来例よりも低くした筐体の空間に、更に有効面積を大きくして第１熱交換器を配置することが可能になる。
【００２５】
【実施例】
以下本発明空気調和機の室内ユニットの実施例につき図１〜図１５を参照して説明する。
【００２６】
（実施例１）
図１は本発明の請求項１および請求項２に記載の発明に対応する一実施例における空気調和機の室内ユニットを壁に設置した状態を示す外観斜視図、図２は同室内ユニットを示す横断面図である。
【００２７】
図１、図２において、１０は室内の壁１１に設置した室内ユニットを構成する背丈の低い横長扁平の筐体で、前部である前面に前部吸込みグリル１２ａを有する前部吸込み口部１２、下部である下面に下部吸込みグリル１３ａを有する下部吸込み口部１３、そして下面の前側で前部と下部吸込み口部１３の間に位置して下部前方へ向いた吹出し口部１４をそれぞれ設けている。１５は筐体１０の内部で略中央の横方向に設置した水平方向の回転軸をもつクロスフローファン、１６は峰部１６ａをクロスフローファン１５に近接して対向させ、クロスフローファン１５の風下側に位置するスタビライザで、同じく１７はリアガイダで、これらスタビライザ１６とリアガイダ１７で、クロスフローファン１５の回転により生じる風を吹出し口部１４に案内する筐体前方へ向かって下降する送風路１８（ディフューザともいう）を形成している。
【００２８】
１９、２０はクロスフローファン１５の風上側において前記クロスフローファン１５の前後に位置しクロスフローファン１５を挟むように筐体１０内にそれぞれ設けた上部１９ａと下部１９ｂから成る第１熱交換器、上部２０ａと下部２０ｂから成る第２熱交換器である。そして、第１熱交換器１９は上部１９ａをクロスフローファン１５側に傾斜させ、下部１９ｂを垂直にした略逆く字状に配置している。また第２熱交換器２０は上部２０ａを垂直に、下部２０ｂを筐体１０内の後側に傾斜させた略く字状に配置している。
【００２９】
２１は第１熱交換器１９、第２熱交換器２０からの結露水を受ける水受け皿、２２は水受け皿２１の背面に設けた断熱部材、２３は各熱交換器１９、２０に流入する空気中のほこりや汚れた空気を浄化するフィルターで、前部吸込み口部１２、下部吸込み口部１３を覆うように設けている。２４は第２熱交換器２０からの結露水の落下を受ける樋である。
【００３０】
上記実施例において、クロスフローファン１５を図２に示す矢印方向に回転すると、筐体１０の前部吸込みグリル１２ａより流入した矢印で示す空気は前部吸込み口部１２より第１熱交換器１９に吸い込まれ、また筐体１０の下部吸込みグリル１３ａより流入した矢印で示す空気は下部吸込み口部１３より第２熱交換器２０に吸い込まれ、そして熱交換された空気がクロスフローファン１５に送風され送風路１８を経て吹出し口部１４より斜め下方（矢印方向）に吹き出される。このとき、第１熱交換器１９、第２熱交換器２０で生じた結露水は各々の水受け皿２１に流れ落ちる。
【００３１】
本実施例では特に、クロスフローファン１５の前側の第１熱交換器１９が上部１９ａをクロスフローファン１５側に傾斜させ、下部１９ｂを垂直にした略逆く字状に配置し、またクロスフローファン１５の後側の第２熱交換器２０が上部２０ａを垂直に、下部２０ｂを筐体１０内の後側に傾斜させた略く字状に配置してクロスフローファン１５を前後から挟むようにし、筐体１０の前部と下部に吸込み口部１２、１３を設け、吹出し口部１４を筐体１０の下面前部に配置したので、筐体１０の背丈を低く、奥行きを小さくしてコンパクトにすることができるとともに、それでいて第１熱交換器１９、第２熱交換器２０の有効面積を大きくできて風量性能を向上できる。そして、特に吹出し口部１４を筐体１０の下面前部に配置したので、筐体１０内におけるクロスフローファン１５の前側にできる広い空間を利用して第１熱交換器１９の有効面積を容易に大きくすることが可能になる。
【００３２】
また、この実施例では第２熱交換器２０の上部２０ａが垂直に立っていて、この上部２０ａとリアガイダ１７の上端部の距離がとれるため、第２熱交換器２０の下部２０ｂを通過した空気がリアガイダ１７の上端へ回り込んで送風路内に流れやすくなり通風抵抗の減少による風量の増加を図ることができる。
【００３３】
更に、この実施例では第２熱交換器２０の上部２０ａを垂直に配置し、クロスフローファン１５の前側である第１熱交換器１９の上部１９ａと第２熱交換器２０の上部２０ａを、水平方向に離して配設しているので、筐体１０の背丈を低くすることができる。そして、通常はこのようにクロスフローファン１５の上部に熱交換器のない部分が広く存在すると、クロスフローファン１５への空気の流入が阻害されて不安定になるが、本実施例では、第２熱交換器２０の下部２０ｂを通過した流れがリアガイダ１７の上端部へ回り込んでクロスフローファン１５の上部に流れを生じさせて上記の不安定を補い、クロスフローファン１５への空気の流入を円滑にできる
（実施例２）
図３は本発明の請求項１〜請求項３に記載の発明に対応する一実施例における空気調和機の室内ユニットを示す横断面図である。この発明は、実施例１に記載の発明と異なるのは、第２熱交換器の下部がほぼ垂直に、上部はクロスフローファン側に傾斜させている点であり、実施例１と同一構成および作用効果を奏する部分には同じ符号を付して詳細な説明を省略し、異なる点を中心に説明する。
【００３４】
２００は第２熱交換器で、上部２００ａをクロスフローファン１５側に傾斜させ、下部２００ｂを垂直にして略く字状に配置しているものである。そして、第２熱交換器２００の下部２００ｂが垂直に配置することでリアガイダ１７との間に間隔を保つよにしている。
【００３５】
上記実施例において、クロスフローファン１５を図３に示す矢印方向に回転すると、筐体１０の前部吸込みグリル１２ａより流入した矢印で示す空気は前部吸込み口部１２より第１熱交換器１９に吸い込まれ、また筐体１０の下部吸込みグリル１３ａより流入した矢印で示す空気は下部吸込み口部１３より第２熱交換器２００に吸い込まれ、そして熱交換された空気がクロスフローファン１５に送風され送風路１８を経て吹出し口部１４より斜め下方（矢印方向）に吹き出される。このとき、第１熱交換器１９、第２熱交換器２００で生じた結露水は各々の水受け皿２１に流れ落ちる。
【００３６】
本実施例では特に、クロスフローファン１５の前側の第１熱交換器１９が上部１９ａをクロスフローファン１５側に傾斜させ、下部１９ｂを垂直にした略逆く字状に配置し、またクロスフローファン１５の後側の第２熱交換器２００が上部２００ａを筐体１０内の前側（クロスフローファン１５側）に傾斜させ、下部２００ｂを垂直にした略く字状に配置してクロスフローファン１５を前後から挟むようにし、筐体１０の前部と下部に吸込み口部１２、１３を設け、吹出し口部１４を筐体１０の下面前部に配置したので、筐体１０の背丈を低く、奥行きを小さくしてコンパクトにすることができるとともに、それでいて第１熱交換器１９、第２熱交換器２００の有効面積を大きくできて風量性能を向上できる。そして、特に吹出し口部１４を筐体１０の下面前部に配置したので、筐体１０内におけるクロスフローファン１５の前側にできる広い空間を利用して第１熱交換器１９の有効面積を容易に大きくすることが可能になる。
【００３７】
また、第２熱交換器２００の下部２００ｂを垂直にして、この下部２００ｂとリアガイダ１７の下部との距離がとれるため、第２熱交換器２００の下部２００ｂを通過した空気が第２熱交換器２００の下部２００ｂとリアガイダ１７の下部の間を容易に通過してリアガイダ１７の上端部へ流れやすくなって通風抵抗の減少により、風量の増加を図ることができる。
【００３８】
（実施例３）
図４は本発明の請求項１および請求項２、請求項４に記載の発明に対応する一実施例における空気調和機の室内ユニットを示す横断面図である。この発明は、実施例１および実施例２に記載の発明と異なるのは、第２熱交換器の下部を筐体内の後側に、上部を筐体内の前側（クロスフローファン側）にそれぞれ傾斜させている点であり、実施例１と同一構成および作用効果を奏する部分には同じ符号を付して詳細な説明を省略し、異なる点を中心に説明する。
【００３９】
２０１は第２熱交換器で、上部２０１ａを筐体１０内の前側（クロスフローファン１５側）に、下部２０１ｂを筐体内の後側にそれぞれ傾斜させて略く字状に配置しているものである。
【００４０】
上記実施例において、クロスフローファン１５を図４に示す矢印方向に回転すると、筐体１０の前部吸込みグリル１２ａより流入した矢印で示す空気は前部吸込み口部１２より第１熱交換器１９に吸い込まれ、また筐体１０の下部吸込みグリル１３ａより流入した矢印で示す空気は下部吸込み口部１３より第２熱交換器２０１に吸い込まれ、そして熱交換された空気がクロスフローファン１５に送風され送風路１８を経て吹出し口部１４より斜め下方（矢印方向）に吹き出される。このとき、第１熱交換器１９、第２熱交換器２０１で生じた結露水は各々の水受け皿２１に流れ落ちる。
【００４１】
このような実施例では特に、クロスフローファン１５の前側の第１熱交換器１９が上部１９ａをクロスフローファン１５側に傾斜させ、下部１９ｂを垂直にした略逆く字状に配置し、またクロスフローファン１５の後側の第２熱交換器２０１が上部２０１ａを筐体１０内の前側（クロスフローファン１５側）に、下部２０１ｂを筐体内の後側にそれぞれ傾斜させて略く字状に配置してクロスフローファン１５を前後から挟むようにし、筐体１０の前部と下部に吸込み口部１２、１３を設け、吹出し口部１４を筐体１０の下面前部に配置したので、筐体１０の背丈を低く、奥行きを小さくしてコンパクトにすることができるとともに、それでいて第１熱交換器１９、第２熱交換器２０１の有効面積を大きくできて風量性能を向上できる。
【００４２】
そして、特に上部２０１ａと下部２０１ｂから成る第２熱交換器２０１を、く字状に配置しているので、実施例１および実施例２に比べ大きい面積の熱交換器が背丈の低い筐体１０内に収納できるため、熱交換器通過風速の減少による通風抵抗の減少により、風量の増加を図ることができる。
【００４３】
また、吹出し口部１４を筐体１０の下面前部に配置したので、筐体１０内におけるクロスフローファン１５の前側にできる広い空間を利用して第１熱交換器１９の有効面積を容易に大きくすることが可能になる。
【００４４】
（実施例４）
図５（ａ）、（ｂ）は本発明の請求項５に記載の発明に対応する一実施例における空気調和機の室内ユニットを壁に設置した状態を示す外観斜視図とその下面図で、図６は同室内ユニットを示す横断面図である。この発明は、実施例１〜実施例３に記載の発明と異なるのは、筐体を種々の形状にした点であり、実施例１と同一構成および作用効果を奏する部分には同じ符号を付して詳細な説明を省略し、異なる点を中心に説明する。
【００４５】
１００は図５（ａ）、（ｂ）に示すように、平面形状（平面断面形状）を扇形にした筐体で、室内（被空調空間）の天井隅に設置できるように隣接する壁１１に対向して取付ける二つの取付面１００ａを有し、かつ前部吸込み口部１２の位置する前面は円弧状を成している。そして、筐体１００は、図６に示すように内部には実施例１と同じ配置で構成部品を内装している。
【００４６】
また、図７（ａ）、（ｂ）に示す筐体１０１は、平面形状（平面断面形状）を二等辺三角形にしたもので、二つの取付面１０１ａを有し、前部吸込み口部１２の位置する前面は直線の平面を成している。
【００４７】
更に、図８（ａ）、（ｂ）、（ｃ）、（ｄ）に示す筐体１０２は、図５（ａ）、（ｂ）に示す平面形状が扇形、図７（ａ）、（ｂ）に示す平面形状が二等辺三角形の各筐体１００、１０１を若干変形した平面形状が略扇形と略三角の形状にしたものである。もちろん、筐体１０２は二つの取付面１０２ａを有し、前部吸込み口部１２の位置する前面は直線の平面または円弧面を成している。
【００４８】
上記実施例において、空気調和の動作と、それによる作用効果は上記した実施例１と同様であるとともに、筐体１００、１０１、１０２は室内の隅に取付面１００ａ、１０１ａ、１０２ａを以ってそれぞれ設置できるので、室内の中央に向かって空気を送風できる。
【００４９】
このように本実施例では、筐体を被空気調和空間の壁面に対向して取付ける二つの取付面を有する平面断面形状が略扇形状または略三角形状にしたので、コンパクトな筐体にできるだけでなく、この筐体を更に室内の隅を有効に利用してバランスよく、比較的に小さな部屋にも設置することが可能になり、使用範囲を広げることができる。
【００５０】
（実施例５）
図９（ａ）、（ｂ）は本発明の請求項６に記載の発明に対応する一実施例における空気調和機の室内ユニットを壁に設置した状態を示す外観斜視図とその下面図で、図１０は同室内ユニットを示す横断面図である。この発明は、実施例１および実施例４に記載の発明と異なるのは、図１０に示すようにスタビライザとリアガイダで形成する送風路を略水平方向に形成した点であり、実施例１および実施例４と同一構成および作用効果を奏する部分には同じ符号を付して詳細な説明を省略し、異なる点を中心に説明する。
【００５１】
すなわち、図９（ａ）、（ｂ）に示すように、筐体１００を室内（被空調空間）の隅の壁１１に対向して取付ける二つの取付面１００ａを有して平面形状を略扇形にしたものである。そして、筐体１００は、前部である前面が円弧面を成して上部に前部吸込み口部１２を、その下縁部に円弧状の吹出し口部１４ａをそれぞれ形成している。一方、前記円弧状の吹出し口部１４ａに通じる送風路１８ａは、スタビライザ１６ｂとリアガイダ１７ｂにより、略水平方向に形成している。
【００５２】
上記実施例において、空気調和の動作と、それによる作用効果は上記した実施例１と同様であるとともに、筐体１００は室内の隅に取付面１００ａを以ってそれぞれ設置できるので、室内の中央に向かって空気を送風できる。従って、コンパクトな筐体にできるだけでなく、この筐体を更に室内の隅を有効に利用してバランスよく、比較的に小さな部屋にも設置することが可能になり、使用範囲を広げることができる。
【００５３】
特に、この実施例５では送風路１８ａを略水平に形成して、筐体１００の円弧面を成している前面の下縁部に沿った吹出し口部１４ａを設けているので、円滑で広範囲に送風することができるとともに、室内ユニットの製造を容易にできる。
【００５４】
すなわち、一般に吹出し口部を筐体の前部に円弧状に形成した場合において、これに通じる図６に示すスタビライザ１６とリアガイダ１７とで形成された送風路１８は、その長さを円弧状の吹き出し口部に対応させて、中央部から左右端部にかけて徐々に短くする必要がある。しかし、図６に示すようにスタビライザ１６とリアガイダ１７とで形成した送風路１８が斜め下方向きの場合は、吹出し口部の円弧形状に合わせ、中央部より左右の端部を徐々に短くすると、この左右の端部付近に近づくに従いリアガイダの底が上がり始め、結果として吹出し口部が中央部より左右端部において上に変形してしまうのである。
【００５５】
然るに本実施例では上記した吹出し口部が中央部より左右端部において上に変形してしまう現象を防止するため、スタビライザ１６ｂとリアガイダ１７ｂとで送風路１８ａを略水平方向に形成し、そして筐体１００の円弧面を成している前面の下縁部に沿った吹出し口部１４ａに接続しているのである。従って、筐体１００の円弧面を成している前面の下縁部に沿った吹出し口部１４ａを容易に製造できるとともに、中央部から左右の端部に亘る全域で変形のない一定の吹出し口部１４ａにより円滑で広範囲に送風できる。
（実施例６）
図１１は本発明の請求項７に記載の発明に対応する一実施例における空気調和機の室内ユニットを壁に設置した状態を示す外観斜視図で、図１２は同室内ユニットを示す横断面図である。この発明は、実施例１に記載の発明と異なるのは、第２熱交換器の上部に、その上流側の筐体上面にも、上部吸込み口部を追加して設けた点であり、実施例１と同一構成および作用効果を奏する部分には同じ符号を付して詳細な説明を省略し、異なる点を中心に説明する。
【００５６】
筐体１０は、図１２に示すように、第２熱交換器２０の上部２０ａの付近に、その上流側の筐体上面にも、上部吸込みグリル１２０ａを有する上部吸込み口部１２０を設けたものである。従って、この上部吸込み口部１２０を含めて吸込み口部は筐体１０の前部、下部、上部の３箇所となる。そして、上部吸込み口部１２０にも第２熱交換器２０に流入する空気中のほこりや汚れた空気を浄化するフィルター２３が設置されている。
【００５７】
上記実施例において、クロスフローファン１５を図１２に示す矢印方向に回転すると、筐体１０の前部吸込みグリル１２ａより流入した矢印で示す空気は前部吸込み口部１２より第１熱交換器１９に吸い込まれ、また筐体１０の下部吸込みグリル１３ａより流入した矢印で示す空気は下部吸込み口部１３より第２熱交換器２０の下部２０ｂに主として吸い込まれ、更に筐体１０の上部吸込みグリル１２０ａより流入した矢印で示す空気は上部吸込み口部１２０より第２熱交換器２０の上部２０ａに主として吸い込まれ、そして熱交換された空気がクロスフローファン１５に送風され送風路１８を経て吹出し口部１４より斜め下方（矢印方向）に吹き出される。このとき、第１熱交換器１９、第２熱交換器２０で生じた結露水は各々の水受け皿２１に流れ落ちる。
【００５８】
そして、上記した実施例１と同様の作用効果を得ることができるとともに、更に本実施例では第２熱交換器２０の上部２０ａにも空気が入りやすくなり、通風抵抗の減少による風量の増加を図ることができる。
（実施例７）
図１３（ａ）、（ｂ）は本発明の請求項８に記載の発明に対応する一実施例における空気調和機の室内ユニットを壁に設置した状態を示す外観斜視図とその下面図で、図１４は同室内ユニットを示す横断面図で、図１５は同室内ユニットを下面からみた時の内部の配置構成図ある。この発明は、実施例１および実施例４に記載の発明と異なるのは、第１熱交換器を、第２熱交換器よりもクロスフローファンの回転軸方向における長さを長くした点であり、実施例１および実施例４と同一構成および作用効果を奏する部分には同じ符号を付して詳細な説明を省略し、異なる点を中心に説明する。
【００５９】
筐体１００は、図１３（ａ）、（ｂ）に示すように室内（被空調空間）の隅の壁１１に対向して取付ける二つの取付面１００ａを有して平面形状を略扇形にしたものである。そして、筐体１００は、前部である前面が円弧面を成して上部に前部吸い込み口部１２を、その下縁部に円弧状の吹出し口部１４ａをそれぞれ形成している。このような筐体１００は、前部に行くに従い左右へ広がるので、図１５におけるクロスフローファン１５を境にして後側より前側の方がクロスフローファン１５の回転軸方向における長さが長くなる。
【００６０】
そこで本実施例では、クロスフローファン１５の前側に位置する第１熱交換器１９を、クロスフローファン１５の後側に位置する第２熱交換器２０よりもクロスフローファン１５の回転軸方向の長さを長くして筐体１００内に設置したものである。更に、筐体１００は図１４に示すように内部には実施例１と同じ配置で構成部品を内装している。
【００６１】
上記実施例において、空気調和の動作と、それによる作用効果は上記した実施例１および実施例４と同様である。
【００６２】
更に、第１熱交換器１９は、筐体１００の形状から起こるクロスフローファン１５の前側のクロスフローファン回転軸方向に長い空間を利用して第２熱交換器２０よりもクロスフローファン１５の回転軸方向の長さを長くしているので、コンパクトな筐体にあっても、最大限に広い面積の熱交換器を収納でき、熱交換器通過風速の減少による通風抵抗の減少により、風量の増加を図ることができる。
【００６３】
なお、上記実施例の発明は、平面形状が扇形状の筐体１００の例をもって説明したが、図７に示す平面形状が二等辺三角形の筐体１０１や、図８（ａ）〜（ｄ）に示す他の略扇形の形状の筐体１０２に実施しても、同様の作用効果を期待できるものである。また、図１５においては、第１熱交換器１９の方がクロスフローファン１５よりもクロスフローファン回転軸方向の長さを短くしたが、第１熱交換器１９の方を長くしてもよい。
【００６４】
【発明の効果】
上記説明から明らかなように、本発明空気調和機の室内ユニットの請求項１に記載の発明は、下部および前部に吸込み口部を、前部または前部下方への吹出し口部をそれぞれ有する筐体と、この筐体の内部に設け、略水平方向に回転軸をもつクロスフローファンと、このクロスフローファンの風上側に配置した熱交換器と、前記クロスフローファンに峰部を近接して対向するように配設したスタビライザと、前記クロスフローファンの後側に設け、前記スタビライザとで前記吹き出し口部へ通じる送風路を形成するリアガイダを備え、前記熱交換器は前記クロスフローファンの前側に位置し、下部と上部から成る第１熱交換器と、前記クロスフローファンの後側に位置し、下部と上部から成る第２熱交換器を有し、前記各々の熱交換器の下側に水受け皿を設けたもので、高さおよび奥行きを小さくした筐体内にクロスフローファンと熱交換器を有機的に配置し、室内ユニットのコンパクト化と風量性能の向上を図ることができる。
【００６５】
また請求項２に記載の発明は、下部および前部に吸込み口部を、前部または前部下方への吹出し口部をそれぞれ有する筐体と、この筐体の内部に設け、略水平方向に回転軸をもつクロスフローファンと、このクロスフローファンの風上側に配置した熱交換器と、前記クロスフローファンに峰部を近接して対向するように配設したスタビライザと、前記クロスフローファンの後側に設け、前記スタビライザとで前記吹き出し口部へ通じる送風路を形成するリアガイダを備え、前記熱交換器は前記クロスフローファンの前側に位置し、下部と上部から成る略逆く字状の第１熱交換器と、前記クロスフローファンの後側に位置し、下部と上部から成る略く字状の第２熱交換器を有し、前記各々の熱交換器の下側に水受け皿を設けたもので、クロスフローファンの前後に分けて第１熱交換器と第２熱交換器を配置し、かつ第１熱交換器を略逆く字状に、第２熱交換器を略く字状にそれぞれ配置しているから、筐体をコンパクトにできるとともに、熱交換器面積の増大による風量性能の向上を図ることができる。
【００６６】
また請求項３に記載の発明は、請求項１または請求項２の記載において、第２熱交換器を略く字状に形成し、かつその下部を略垂直に配置してなるもので、吸込み空気が第２熱交換器の下部とリアガイダの間を通過してリアガイダ上端部へ容易に流れ通風抵抗の減少による風量の増加を図ることができる。
【００６７】
また請求項４に記載の発明は、請求項１または請求項２の記載において、第２熱交換器を略く字状に形成し、かつその下部を筐体内の後方側へ、上部を筐体内の前方側へそれぞれ傾斜させたもので、面積を大きくした第２熱交換器を背丈の低くした筐体内に収納でき、熱交換器通過風速の減少による通風抵抗の減少により、風量の増加を図ることができる。
【００６８】
また請求項５に記載の発明は、請求項１〜請求項４のいずれかの記載において、筐体は、被空気調和空間の壁面に対向して取付ける二つの取付面を有する平面形状が略扇形状または略三角形状にしたもので、コンパクトな筐体にできるとともに、この筐体を室内の隅を有効に利用して小さな部屋にもバランスよく設置でき、使用範囲を広げることができる。
【００６９】
また請求項６に記載の発明は、請求項５の記載において、筐体は被空気調和空間の壁面に対向して取付ける二つの取付面を有する平面形状を略扇形状とし、スタビライザとリアガイダで形成した送風路を略水平方向に配置したもので、筐体前部の吹出し口部を容易に製造できるとともに、吹出し口部より円滑で広範囲に送風できる。
【００７０】
また請求項７に記載の発明は、請求項１〜請求項６のいずれかの記載において、第２熱交換器の上部で上流側に位置する筐体上部に上部吸込み口部を設けたもので、筐体全体の吸込み口部からの空気を熱交換器に導く吸込み風路が大きくなり、通風抵抗の減少による風量性能と熱交換効率の向上を図ることができる。
【００７１】
また請求項８に記載の発明は、請求項５の記載において、クロスフローファンより筐体内の前側に位置する第１熱交換器は、クロスフローファンより筐体内の後側に位置する第２熱交換器よりもクロスフローファンの回転軸方向における長さを長くしたもので、筐体内のクロスフローファンの前後に第１熱交換器と第２熱交換器の配置による筐体のコンパクト化と、平面形状が略扇形または略三角形状にした筐体の空間を有効に利用して第１熱交換器の面積を大きくでき、風量性能の向上を図ることができる。
【図面の簡単な説明】
【図１】本発明の実施例１における空気調和機の室内ユニットを室内壁に設置した状態を示す外観斜視図
【図２】同室内ユニットを示す横断面図
【図３】同実施例２における空気調和機の室内ユニットを示す横断面図
【図４】同実施例３における空気調和機の室内ユニットを示す横断面図
【図５】（ａ）同実施例４における空気調和機の室内ユニットを壁に設置した状態を示す外観斜視図
（ｂ）同室内ユニットを示す下面図
【図６】同実施例４における空気調和機の室内ユニットを示す横断面図
【図７】（ａ）同実施例４における他の例の空気調和機の室内ユニットを壁に設置した状態を示す外観斜視図
（ｂ）同室内ユニットを示す下面図
【図８】（ａ）〜（ｄ）同実施例４におけるその他の空気調和機の室内ユニットを示す平面外形図
【図９】（ａ）同実施例５における空気調和機の室内ユニットを壁に設置した状態を示す外観斜視図
（ｂ）同室内ユニットを示す下面図
【図１０】同実施例５における空気調和機の室内ユニットを示す横断面図
【図１１】同実施例６における空気調和機の室内ユニットを壁に設置した状態を示す外観斜視図
【図１２】同室内ユニットを示す横断面図
【図１３】（ａ）同実施例７における空気調和機の室内ユニットを壁に設置した状態を示す外観斜視図
（ｂ）同室内ユニットを示す下面図
【図１４】同室内ユニットを示す横断面図
【図１５】同室内ユニットを下面からみた時の内部の配置構成図
【図１６】従来例の空気調和機の室内ユニットの横断面図
【符号の説明】
１０、１００、１０１、１０２  筐体
１００ａ、１０１ａ、１０２ａ  取付面
１１  壁
１２  前部吸込み口部
１３  下部吸込み口部
１２０  上部吸込み口部
１４、１４ａ  吹出し口部
１５  クロスフローファン
１６、１６ｂ  スタビライザ
１７、１７ｂ  リアガイダ
１８、１８ａ  送風路
１９  第１熱交換器（熱交換器）
１９ａ  上部
１９ｂ  下部
２０、２００、２０１  第２熱交換器（熱交換器）
２０ａ、２００ａ、２０１ａ  上部
２０ｂ、２００ｂ、２０１ｂ  下部
２１  水受け皿
【図１】
0003596422.tif 000002
【図２】
0003596422.tif 000003
【図３】
0003596422.tif 000004
【図４】
0003596422.tif 000005
【図５】
0003596422.tif 000006
【図６】
0003596422.tif 000007
【図７】
0003596422.tif 000008
【図８】
0003596422.tif 000009
【図９】
0003596422.tif 000010
【図１０】
0003596422.tif 000011
【図１１】
0003596422.tif 000012
【図１２】
0003596422.tif 000013
【図１３】
0003596422.tif 000014
【図１４】
0003596422.tif 000015
【図１５】
0003596422.tif 000016
【図１６】
0003596422.tif 000017